(57)【要約】本発明は、香料の分野に関し、よりいっそう詳述すれば、周囲空間中に活性の組成物を計量分配する装置およびそれに関連した消費製品に関する。この装置は、特異的な揮発性を有する活性の液体、この活性の液体に一部分を収容する溜め（３）、蓋（２）および灯心部と放出部とから構成された灯心−放出器超構造体（１）からなり、この場合この放出部は、周囲空間に直接に露出された蒸発面ならびに特殊な吸収率および蒸発面の単位面積当たりの質量を有する。
2005532135.tif 000002
【特許請求の範囲】
【請求項１】
ａ）開口端部を有する溜め室；
ｂ）少なくとも２つの成分を含有する非水性の活性の揮発性液体組成物；
ｃ）少なくとも１つのアパーチャーを有する、溜め室の開口端部を確実に覆う溜め室蓋；および
ｄ）溜め室蓋のアパーチャー中に確実に位置している灯心−放出器超構造体からなり、この場合この超構造体は、
Ｉ）溜め室蓋上に延在しかつ周囲空気に露出された蒸発面を有する放出部；および
ＩＩ）溜め室蓋を通って下方に延在しかつ活性の揮発性液体と浸水接触している灯心部から構成されている、非電力装置において、
ｉ）非水性の活性の揮発性液体組成物の全質量の少なくとも６０％が４Ｐａ〜２７０Ｐａの蒸気圧を有する成分から形成されており；
ｉｉ）放出部が蒸発面の面積１ｍ２当たり８０〜１０００ｇの質量を有し、かつ蒸発面の面積１ｃｍ２当たり非水性の活性の揮発性液体組成物０．０１〜０．１ｇの吸収量を有し；
ｉｉｉ）放出部によって吸収された非水性の活性の揮発性液体組成物の量が装置中に存在する非水性の活性の揮発性液体組成物の初期全質量の約２０％未満であることを特徴とする、非電力装置。
【請求項２】
さらに放出部の蒸発面の面積が５０ｃｍ２〜２００ｃｍ２から構成されている、請求項１記載の装置。
【請求項３】
非水性の活性の揮発性液体組成物が活性の揮発性材料ならびに場合によっては溶剤、増粘剤、酸化防止剤、苦味剤およびＵＶ抑制剤からなる群から選択された１つ以上の成分を含有する、請求項１または２記載の装置。
【請求項４】
活性の揮発性材料が香料、脱臭剤または消毒剤および害虫忌避剤からなる群から選択されたものである、請求項３記載の装置。
【請求項５】
活性の揮発性材料の量が非水性の活性の揮発性液体組成物の質量の２０％〜１００％から構成されている、請求項３記載の装置。
【請求項６】
非水性の活性の揮発性液体組成物の全質量の少なくとも８０％が４Ｐａ〜２７０Ｐａから構成された蒸気圧を有する成分から形成されている、請求項１記載の装置。
【請求項７】
放出部が蒸発面の面積に対して１００ｇ／ｍ２〜５００ｇ／ｍ２および５００ｇ／ｍ２の質量を有し、かつ蒸発面の面積１ｃｍ２当たり非水性の活性の揮発性液体組成物０．０２〜０．０８ｇの吸収量を有し；
放出部によって吸収された非水性の活性の揮発性液体組成物の量が装置中に存在する非水性の活性の揮発性液体組成物の初期全質量の約１５％未満である、請求項１または２記載の装置。
【請求項８】
放出部および灯心部が同じ材料から形成されている、請求項７記載の装置。
【請求項９】
請求項１記載の装置からなる消費製品。
【請求項１０】
付香装置もしくは消毒装置、エアフレッシュナー、車用フレッシュナー、クローゼット用フレッシュナー、殺虫剤装置もしくは害虫忌避剤装置またはこれらの組合せの形の請求項９記載の消費製品。
【請求項１１】
エアフレッシュナーの形の請求項１０記載の消費製品。
【請求項１２】
さらにクロジャーキャップ、カバーまたはフィルムを有する、請求項９記載の消費製品。
【請求項１３】
装置を製造するためのキットにおいて、請求項１に定義された溜め室、溜め室蓋および灯心−放出器超構造体からなる、装置を製造するためのキット。
【請求項１４】
キットがさらに溜め中に含まれた、請求項１に定義されたような非水性の活性の揮発性液体組成物を有する、請求項１３記載のキット。
【請求項１５】
さらに請求項１に定義されたような非水性の活性の揮発性液体組成物で充填された１個の収納装置または複数の収納装置を有する、請求項１３記載のキット。
【発明の詳細な説明】
【技術分野】
【０００１】
本発明は、香料の分野に関し、よりいっそう詳述すれば、装置の寿命に亘ってほぼ一定の速度で周囲空間中に活性の揮発性液体を計量分配する装置およびそれに関連した消費製品に関する。この装置は、特異的な揮発性を有する活性の液体、この活性の液体に一部分を収容する溜め、蓋および灯心部と放出部とから構成された灯心−放出器超構造体からなり、この場合この放出部は、周囲空間に直接に露出された蒸発面ならびに特殊な吸収率および蒸発面の単位面積当たりの質量を有する。
【０００２】
背景技術
活性の液体を周囲空間に計量分配する装置は、久しく公知である。このような装置の１つの型は、所謂灯心型装置であり、この装置全体は、溜め、灯心および活性の液体が蒸発する放出体からなる。
【０００３】
この灯心型装置の主な問題は、活性の液体の蒸発が急速すぎるかまたは遅速すぎることを回避させるために、活性の液体の周囲への制御された放出を達成することが困難であることにある。
【０００４】
公知技術文献に開示されかつ上記問題を解決するものとして記載された種々の灯心型装置は、幾つかの種類に分けることができる。この種類は、それぞれ装置が次のこと：
ｉ）放出体を包囲する特殊なフィルムまたは吸蔵系の使用；
ｉｉ）活性の液体が蒸発しうる放出体の表面積を装置の寿命に亘って調節することができる被覆手段の使用；または
ｉｉｉ）電力補助手段、例えば加熱装置またはファンの使用
によって制御された放出を達成するという事実によって特徴付けられている。
【０００５】
しかし、これらの全ての装置は、実現させるには複雑であり、装置に対して付加的な要素を必要とする。
【０００６】
更に、電気的に補助される装置を除外して、他の装置は、一般に活性の液体の水溶液または水性乳濁液の使用を必要とし、したがって装置の有効な放出性能にとって有害な大量の液体および界面活性剤の使用を暗に示している。
【０００７】
我々の認識の及ぶ限りでは、特異的な液体ならびに特殊な吸収率および蒸発面の単位面積当たりの質量を有する放出体を使用することによって活性の液体の放出を制御することができる装置については、従来技術において何も開示されていないし、何も示唆されていない。
【０００８】
発明の開示
本発明の目的は、放出体を覆うフィルムまたは電力装置を必要とすることなく、本質的に線形の性能で、即ちほぼ一定の速度で活性の液体を周囲空間に計量分配する装置を提供することである。これは、選択された蒸気圧を有しかつ特殊な種類の放出体を有する材料から構成された、特殊な種類の活性の液体を有する装置を提供することによって達成された。
【０００９】
それ故、本発明の第１の対象は、
ａ）開口端部を有する溜め室；
ｂ）少なくとも２つの成分を含有する非水性の活性の揮発性液体組成物；
ｃ）少なくとも１つのアパーチャーを有する、溜め室の開口端部を確実に覆う溜め室蓋；および
ｄ）溜め室蓋のアパーチャー中に確実に位置している灯心−放出器超構造体からなり、この場合この超構造体は、
Ｉ）溜め室蓋上に延在しかつ周囲空気に露出された蒸発面を有する放出部；および
ＩＩ）溜め室蓋を通って下方に延在しかつ活性の揮発性液体と浸水接触している灯心部から構成されている、非電力装置であり、この場合この非電力装置は、
ｉ）非水性の活性の揮発性液体組成物の全質量の少なくとも６０％が４Ｐａ〜２７０Ｐａの蒸気圧を有する成分から形成されており；
ｉｉ）放出部が蒸発面の面積１ｍ２当たり８０〜１０００ｇの質量を有し、かつ蒸発面の面積１ｃｍ２当たり非水性の活性の揮発性液体組成物０．０１〜０．１ｇの吸収量を有し；
ｉｉｉ）放出部によって吸収された非水性の活性の揮発性液体組成物の量が装置中に存在する非水性の活性の揮発性液体組成物の初期全質量の約２０％未満であることによって特徴付けられる。
【００１０】
勿論、本発明による装置は、上記の要素だけから構成されていてよい。
【００１１】
”非電力装置”の表現の場合、これは、本明細書中で電気的補助手段、例えば加熱装置または換気装置を必要とすることなく、装置の寿命に亘って本質的に線形の性能で揮発性液体を放出することができる装置を意味する。
【００１２】
活性の揮発性液体の蒸発速度を調節するために一般に使用される他の手段、例えば放出体の蒸発面の面積を調節することができるカバーまたはキャップは、本発明による装置においては強制的なものではない。このような被覆手段は、存在していてもよいし、存在していなくともよい。
【００１３】
更に、”活性の揮発性液体”の場合には、本明細書中で少なくとも部分的に揮発性である、即ち蒸発することができ、かつ周囲空間に利点を付与することができる液体を意味する。
【００１４】
溜め室は、非水性の活性の揮発性液体組成物を貯蔵する機能を有し、即ち灯心−放出器超構造体によって吸収されない機能を有し、この非水性の活性の揮発性液体組成物は、以下、”活性の組成物”とも呼称される。
【００１５】
溜め室蓋は、溜め室からの活性の組成物の蒸発を阻止する機能ならびに灯心−放出器超構造体の支持体として作用する機能を有する。
【００１６】
溜め室蓋は、例えばネジ付きストッパーとして作用するかまたは溜め室に対して永続的に封止されることによって溜め室の開口端部を覆う。
【００１７】
好ましくは、溜め室蓋は、灯心−放出器超構造体を保持するために１つかまたは２つのアパーチャーを有する。
【００１８】
溜め室ならびに溜め室蓋は、活性の組成物と相容性でありかつ活性の組成物の蒸気に対して完全に不透過性である材料から形成されている。好ましくは、溜め室は、透明または半透明の材料から形成されており、したがって消費者は、溜め室中に存在する活性の組成物のレベルを目で見て監視することができ、したがって本発明による装置を使い尽くしたために交換しなければならない時を確認することができる。
【００１９】
溜め室および溜め室蓋に適した材料は、射出成形材料または熱成形材料、例えばポリマー、例えばポリエチレン、ポリプロピレン、ポリスチレン、ポリ塩化ビニル、ポリ酢酸ビニル、ポリアミド、ポリアクリルアミド、ポリメチルアクリレートおよび類似物から得ることができる材料を含む。選択的に、溜め室または溜め室および溜め室蓋は、ガラスから形成されていてよかった。
【００２０】
また、溜め室および溜め室蓋は、単体の一部分であることができた。このような単体の１つの例は、開口頸部を有する瓶であることができ、この場合この瓶は、溜めであり、頸部は、蓋である。
【００２１】
”非水性の活性の揮発性液体組成物”の場合、これは、本明細書中で本質的に水を欠いているかまたは下限量の水のみを含有する活性の揮発性液体組成物を意味し、例えばこの活性の揮発性液体組成物は、例として水を全質量の５％未満含有する組成物を挙げることができる。
【００２２】
また、１つの有用な活性の組成物は、界面活性剤を含まないかまたは界面活性剤を欠いている。
【００２３】
活性の組成物は、少なくとも２つの成分を含有する。この成分は、周囲空間または包囲空間に利点を与えることができる成分と活性の揮発性材料および活性の揮発性材料に対して有利である場合による成分を形成させることができる成分とに分けることができる。換言すれば、活性の組成物は、活性の揮発性材料を含有し、少なくとも１つの成分ならびに溶剤、増粘剤、酸化防止剤、染料、苦味剤およびＵＶ抑制剤からなる群から選択された１つ以上の成分を有する。
【００２４】
活性の揮発性材料としては、例えば香料を使用することができ、この場合には、消費製品は、エアフレッシュナー型である。他の適当な活性の揮発性材料は、脱臭剤もしくは消毒剤または害虫忌避剤であってもよいし、拡散される空気の品質に知覚可能な望ましい利点を付与することができる任意の他の活性の材料であってもよい。
【００２５】
好ましい活性の揮発性材料は、香料である。香料としては、香料工業において通常使用される、即ち付香作用を発揮することができる任意の成分またはこの成分の混合物を使用することができる。しかし、この香料は、しばしば天然または合成に由来する成分の多少とも複雑な混合物である。この成分の性質および種類は、幾つかの場合には網羅されておらず、本明細書中でさらに詳細な記載を保証することができず、この場合には、当業者であれば、一般的な認識に基づき、意図された使用または用途および望ましい官能的効果に従って前記の性質および種類を選択することができる。一般的に言えば、この付香成分は、アルコール、アルデヒド、ケトン、エステル、エーテル、アセテート、ニトリル、テルペン、炭化水素、窒素複素環式化合物または硫黄複素環式化合物および天然由来の芳香油または合成由来の芳香油と同程度に変性された化学的種類に属する。多数の前記成分は、任意の場合に参考文献、例えばS. Arctander, Perfume and Flavor Chemicald, 1969, Montclair, New Jersey, USAによる書物またはその最近の版、または同様の種類の他の書物ならびに香料分野の豊富な特許刊行物に記載されている。
【００２６】
本発明による装置によって発揮することができる付香作用については、上記に詳細に記載されたけれども、同様の原理は、脱臭蒸気または消毒蒸気の拡散のための同様の装置にも適用され、この場合には、香料は、脱臭組成物、殺菌剤、殺虫剤、害虫忌避剤または害虫誘引剤によって代替される。”消毒蒸気”の表現の場合には、本明細書中で観察者を取り巻く空気の受容度を増加させることができる物質の蒸気だけでなく、一定の種類の昆虫、例えばイエバエまたは蚊等に対して誘引作用または忌避作用を発揮することができ、殺菌作用または静菌作用を有することができる蒸気にも言及する。このような薬剤の混合物が使用されてもよいことは、言うまでもない。
【００２７】
活性の組成物中の活性の揮発性材料の全体量は、活性の組成物の質量の２０％〜１００％、好ましくは３０％〜７０％であることができる。
【００２８】
上記に予想したように、活性の組成物は、例えば溶剤、増粘剤、酸化防止剤、染料、苦味剤およびＵＶ抑制剤として作用する幾つかの場合による成分を含有していてもよい。
【００２９】
１つ以上の溶剤の存在は、単相の液体を有するために有用であることができおよび／または周囲空気中への活性の材料の蒸発速度を調節するために有用であることができる。この溶剤は、イソパラフィン、パラフィン、炭化水素、グリコール、グリコールエーテル、グリコールエーテルエステル、エステルまたはケトンの系統に属することができる。
【００３０】
本発明にとって有用な商業的に入手可能な溶剤の例は、Isopar（登録商標）H, J, K, L, M, PまたはV（イソパラフィン；出所：Exxon Chemical）、Norpar（登録商標）12または15（パラフィン；出所：Exxon Chemical）、Exxsol（登録商標）D 155/170, D 40, D 180/200, D 220/230, D 60, D 70, D 80, D 100, D 110またはD 120（脱芳香化炭化水素；出所：Exxon Chemical）、Dowanol（登録商標）PM, DPM, TPM, PnB, DPnB, EB, EEH, DM, DE, DPまたはDB（グリコールエーテル；出所：Eastman Chemical Company）、Dowanol（登録商標）PMAまたはPGDA（グリコールエーテルエステル；出所：Dow Chemical Company）またはEastman（登録商標）EBアセテート, Eastman（登録商標）DEアセテート, Eastman（登録商標）DBアセテート, Eastman（登録商標）EEPアセテート（全てグリコールエーテルエステル；全て出所：Eastman Chemical Company）の商標で公知である。
【００３１】
本発明にとって有用な溶剤の他の例は、ジプロピレングリコール、プロピレングリコール、エチレングリコールエチルエーテルアセテート、エチレングリコールジアセテート、イソプロピルミリステート、ジエチルフタレート、２−エチルヘキシルアセテート、メチルｎ−アミルケトンまたはジイソブチルケトンである。
【００３２】
活性の組成物中に存在する溶剤の全体量は、０．０％〜８０％の間、好ましくは３０％〜７０％の間で変動することができ、この場合百分率は、活性の組成物の質量に対するものである。
【００３３】
有用な増粘剤の成分の制限のない例として、エチルセルロース（Hercules Inc.から入手可能な商業的な例）、ヒュームドシリカ（Degussa社から入手可能な商業的な例）およびスチレン−ブタジエン−スチレンブロックコポリマー（Shell社から入手可能な商業的な例）を挙げることができる。
【００３４】
活性の組成物中に存在する増粘剤の全体量は、０．０％〜１０％の間、好ましくは１％〜４％の間で変動することができ、この場合百分率は、活性の組成物の質量に対するものである。
【００３５】
有用な酸化防止剤の成分の制限のない例として、立体障害アミン、即ち２，２，６，６−テトラメチル−ピペリジンの誘導体、例えば商標Uvinul（登録商標）（出所BASF AG）またはTinuvin（登録商標）（出所：Ciba Speciality Chemicals）ならびにアルキル化ヒドロキシアレン誘導体、例えばブチル化ヒドロキシトルエンを挙げることができる。
【００３６】
活性の組成物中に存在する酸化防止剤の全体量は、０．０％〜１０％の間、好ましくは１％〜４％の間で変動することができ、この場合百分率は、活性の組成物の質量に対するものである。
【００３７】
染料は、活性の組成物の他の場合による成分である。適当な染料は、油溶性であり、The Society of Dyers and Colouristによって発行されたColour Index International中に見出すことができる。適当な染料の制限のない例は、アントラキノン、メチン、アゾ、トリアリールメタン、トリフェニルメタン、アジン、アミノケトン、スピロオキサジン、チオキサンテン、フタロシアニン、ペリレン、ベンゾピランまたはペリノン系統の誘導体である。商業的に入手可能なこのような染料の例は、Sandplast （登録商標）Violet RSB, Violet FBL, Green GSB, Blue 2BまたはSavinyl（登録商標）Blue RS（全てアントラキノン誘導体；出所：Clariant Huningue S.A.）、Oilsol（登録商標）DB（アントラキノン；出所：Morton International Ltd.）、Sandoplast（登録商標）Yellow 3G（メチン；出所：Clariant Huningue S.A.）、Savinyl（登録商標）Scarlet RLS（アゾ金属錯体；出所：Clariant Huningue S.A.）、Oilsol（登録商標）Yellow SEG（モノアゾ；出所：Morton International Ltd.）、Fat Orange（登録商標）R（モノアゾ；出所：Hoechst AG）、Fat Red（登録商標）5B（ジアゾ；出所：Hoechst AG）、Neozapon（登録商標）Blue 807（フタロシアニン；出所：BASF AG）、Fluorol（登録商標）Green Golden（ペリレン；出所：BASF AG）の商標で公知である。
【００３８】
活性の組成物中に存在する染料の全体量は、０．０％〜０．５％の間、好ましくは０．００５％〜０．０５％の間で変動することができ、この場合百分率は、活性の組成物の質量に対するものである。
【００３９】
苦味剤の存在は、製品を不快なものにする目的で望ましく、活性の組成物が殊に幼い子供達によって摂取されることがないようにする。制限のない例として、イソプロピルアルコール、メチルエチルケトン、メチルｎ−ブチルケトンまたはさらになおデナトニウム塩、例えばBitrex（登録商標）（出所：Mac Farlan Smith Ltd.）の商標でも公知の安息香酸デナトニウムを挙げることができる。
【００４０】
苦味剤は、活性の組成物中に０．０％〜５％の全体量で配合されていてよく、この場合百分率は、活性の組成物の全質量に対するものである。BitrexＴＭの場合には、量は、活性の組成物の全質量の０．０％〜０．１％、好ましくは０．００１％〜０．０５％であることができる。
【００４１】
有用なＵＶ抑制剤の成分の制限のない例としては、ベンゾフェノン、ジフェニルアクリレートまたはシンナメート、例えばUvinul（登録商標）（出所：BASF AG）の商標で入手可能なものを挙げることができる。
【００４２】
活性の組成物中に存在するＵＶ抑制剤の全体量は、０．０％〜０．５％の間、好ましくは０．００１％〜０．４％の間で変動することができ、この場合百分率は、活性の組成物の質量に対するものである。
【００４３】
上記したように、活性の組成物の全質量の少なくとも６０％は、４Ｐａ〜２７０Ｐａの蒸気圧を有する成分から形成されており、この場合蒸気圧は、２０℃および７６０ｍｍＨｇの圧力で測定される。活性の組成物の処方において記載された要件は、比較的一定の組成が装置の寿命に亘って維持されかつ活性の組成物が生成物の耐用年数の間、比較的一定の速度で蒸発することを保証する。
【００４４】
最も好ましくは、活性の組成物の全質量の少なくとも８０％は、４Ｐａ〜２７０Ｐａの蒸気圧を有する成分から形成されている。
【００４５】
また、本発明による装置は、放出部および灯心部から構成されている灯心−放出器超構造体からなる。
【００４６】
放出部および灯心部は、超構造体を形成するために互いに接触する別々の構成要素であることができるかまたは単一の構成要素であることができる。
【００４７】
更に、放出部は、互いに接触する１個以上の放出体から形成されていてよいが、一般には、１〜４個の放出体が使用される。同様に、灯心部は、１個以上の灯心から形成されていてよいが、一般に１〜４個の灯心が使用される。
【００４８】
放出部は、活性の組成物の蒸発速度の調節に著しく貢献する。実際に、放出部は、特殊な吸収率、蒸発面１ｍ２当たりの質量および場合によっては蒸発面の面積により、活性の組成物の蒸発に影響を及ぼすことができ、したがって蒸発は、装置の寿命の間、本質的に一定の速度で起こる。
【００４９】
”速度”場合、これは、本明細書中において、一定の時間範囲内で周囲に放出される、単位時間当たりの活性の組成物の量を意味するかまたは好ましくは、所定の時間当たりの質量損失を意味する。
【００５０】
”本質的に一定の速度”の場合、これは、本明細書中において、本発明による装置を使用する少なくとも２０日間の間または２５日間であっても、平均速度の約８０％ないし約１２０％、好ましくは９０％ないし１１０％の範囲内で変動しうる速度を意味する。
【００５１】
上記したように、放出部は、蒸発面の面積１ｃｍ２当たり活性の組成物０．０１〜約０．１ｇの吸収能力を有し、かつ蒸発面の面積に対して８０ｇ／ｍ２〜１０００ｇ／ｍ２の質量を有する。更に、放出部は、装置中に存在する活性の揮発性液体の初期全質量の約２０％未満を吸収する。
【００５２】
好ましくは、放出部は、蒸発面の面積１ｃｍ２当たり活性の揮発性液体０．０２〜約０．０８ｇの吸収能力を有し、かつ蒸発面の面積に対して１００ｇ／ｍ２〜５００ｇ／ｍ２の質量を有する。更に、放出部は、好ましくは装置中に存在する活性の揮発性液体の初期全質量の約１５％未満を吸収する。
【００５３】
また、放出部は、５０ｃｍ２〜２００ｃｍ２の蒸発面の面積によって特徴付けられていてもよい。好ましくは、蒸発面の面積は、１００ｃｍ２〜１５０ｃｍ２からなる。
【００５４】
放出部を形成することができる材料の制限のない例は、セルロース誘導体、例えば紙、成形セラミック、焼結プラスチックまたは多孔質プラスチックである。
【００５５】
好ましい紙は、濾紙として通常使用されかつ３μｍ〜３０μｍの粒子保持寸法を有するもの、例えば濾紙No. 1, 3, 4または113としてWhatman International Ltd., UKから商業的に入手できるものである。
【００５６】
焼結プラスチックまたは多孔質プラスチックの場合には、好ましくは材料は、５μｍ〜２００μｍの孔径を有しかつ高密度ポリエチレン、超高分子量ポリエチレンまたはポリプロピレンを基礎とするものである。このような材料の例は、例えばVyon（登録商標）（出所：Porvair Technology Ltd., UK）の商標で商業的に入手可能である。
【００５７】
灯心部は、活性の組成物の一部分を吸収しかつこの活性の組成物を放出部に輸送することを意図したものであり、この場合この放出部から活性の組成物の一部分は、本発明の装置の周囲空間に蒸発することができる。前記したように、灯心部は、１〜４個の灯心を有することができる。
【００５８】
灯心部は、有機材料および無機材料から形成されていてよい。適当な無機材料の例は、適当な結合剤、例えば石膏またはベントナイトと組み合わせた、多孔質の磁器材料、成形セラミック、ガラス繊維またはアスベストを含む。また、単独かまたは適当な接着剤を用いて、例えば木粉、炭素粉末または活性炭と組み合わせた粉末状の鉱物材料、例えばクレー、タルク、珪藻土、アルミナ、シリカまたは類似物から灯心を製造することも可能である。有機材料は、フェルト、木綿、パルプ、木綿繊維織物および木綿繊維不織布、合成繊維、セルロース誘導体、例えば紙、ならびに焼結プラスチック織物および焼結プラスチック不織布ならびに多孔質プラスチック織物および多孔質プラスチック不織布を含む。好ましくは、灯心部および放出部は、同じ材料から形成されている。
【００５９】
上記に予想したように、消費製品は、本発明による装置からなることができる。このような消費製品は、使用される活性の組成物の性質に依存して、付香装置もしくは消毒装置、例えばエアフレッシュナー、車用フレッシュナー、クローゼット用フレッシュナー、殺虫剤装置もしくは害虫忌避剤装置またはこれらの組合せの形で使用されてよく、この組合せの形の場合には、１つ以上の作用、例えば付香作用および消毒作用を発揮することができる活性の組成物が使用される。エアフレッシュナーは、本発明による装置の１つの好ましい実施態様である。
【００６０】
本発明による装置の貯蔵中、活性の組成物は、種々の方法によって蒸発から回避されていてよい。
【００６１】
例えば、消費製品が十分に組み合わされた本発明による装置からなる場合には、活性の揮発性液体の蒸発を回避させる第１の方法は、装置の放出部を覆う封止を用いることにあってよく、こうして消費者による活性化前に活性の組成物の蒸発が回避される。
【００６２】
選択的に、消費製品が組み合わされていない本発明による装置からなる場合、例えば灯心−放出器超構造体が装置の架台に固定されていない場合には、活性の揮発性液体の蒸発を回避させる別の方法は、溜め室蓋のアパーチャーを封止することにある。このような場合には、装置は、消費者によって簡単に封止を除去しかつ灯心−放出器超構造体の灯心部を溜め室蓋のアパーチャー中に挿入することによって活性化される。
【００６３】
更に、消費製品が組み合わされていない本発明による装置からなる場合、例えば放出部が装置の架台に固定されていない場合、例えば灯心部と放出部が別の物体である場合には、活性の揮発性液体の蒸発を回避させるために、溜め室蓋に亘って延在する灯心部を封止することが可能である。消費者は、このような装置を、封止を除去しかつ灯心部と直接に接触するように放出部を位置させることによって簡単に活性化するであろう。
【００６４】
上記の封止は、除去可能で蒸気不透過性のクロジャーキャップ、カバーまたはフィルムであることができる。
【００６５】
本発明による装置の組合せならびにクロジャーキャップ、カバーまたはフィルムの組合せは、本発明のもう１つの対象である消費製品を構成することができる。
【００６６】
また、１回使い尽くした本発明による消費製品が別のサッシェ中に準備されていてよい活性の揮発性液体で溜め室を満たすことによって簡単に消費者により再活性化されうることに注目することは、重要である。
【００６７】
更に、本発明の別の対象は、上記に定義されたような装置を準備するためのキットであり、この場合このキットは、請求項１に定義されたような、溜め室、溜め室蓋および灯心−放出器超構造体を有する。この実施態様において、上記に定義されたような活性の組成物は、別々に消費者に供給されうる。
【００６８】
選択的に、さらにこのキットは、封止されている溜め中に含まれた活性の組成物を有するか、またはキットは、活性の組成物で充填された１個の収納装置または複数の収納装置を有する。
【００６９】
本発明の前記実施態様において、本発明による装置の全ての種々の要素は、上記の記載のように組み合わされていない形であってもよいし、部分的に組み合わされた形であってもよい。
【図面の簡単な説明】
【００７０】
【図１】本発明による装置の第１の実施態様の組み合わされていない灯心−放出器超構造体を示す組み立て側面図、この場合この超構造体は、２個の異なる放出体１ａおよび１ｂならびに物体１ｃを星の形状に組み合わせることによって得られ、この場合２個の異なる放出体１ａおよび１ｂならびに物体１ｃは、灯心−放出器超構造体の放出体および灯心部を構成する。
【図２】上部の放出部および下部の灯心部を備えた、図１の放出体および物体を組み合わせることによって得られた、灯心−放出器超構造体１を有する本発明による装置を示す分解組み立て斜視図、この場合灯心部は、溜め室蓋２のアパーチャーで補足されている１つの形状を有し、この溜め室蓋は、溜め室３の開口端部を閉鎖することを意図したものである。
【図３】装置のクロジャーキャップまたはカバー５に近接した、図２による組み合わされた本発明による装置４を示す斜視図。
【図４】本発明による装置の第２の実施態様の組み合わされていない灯心−放出器超構造体を示す側面図、この場合この超構造体は、１個の構成要素６から構成されており、この構成要素は、その後に図５に示されているように円筒形の形状で折り重ねられかつ封止される。
【図５】上部の放出部および下部の灯心部を備えた、図４の物体６を折り重ねることによって得られた、灯心−放出器超構造体７を有する本発明による装置を示す分解組み立て斜視図、この場合灯心部は、溜め室蓋８のアパーチャーで補足されている１つの形状を有し、この溜め室蓋は、溜め室３の開口端部を閉鎖することを意図したものである。
【図６】図５に示した、組み合わされた本発明による装置４を示す斜視図。
【符号の説明】
【００７１】
１  灯心−放出器超構造体、  １ａ、１ｂ、１ｃ  物体、  ２  溜め室蓋、  ３  溜め室、  ４  組み合わされた本発明による装置、  ５  クロジャーキャップまたはカバー、  ６  構成要素、  ７  灯心−放出器超構造体、  ８  溜め室蓋。
【００７２】
更に、次の実施例につき本発明の実施態様を詳説し、さらに公知技術水準の教示と比較して本発明による装置の利点を証明する。
【実施例】
【００７３】
例１
本発明によるエアフレッシュナー計量分配装置を、図１〜３に示されているように構成させた。図１に記載された寸法を有する物体１ａ、１ｂおよび１ｃを２ｍｍの厚さのVyon T（登録商標）（Porvair Technology Ltd.）のシートから切断し、組み立てて図２に示されているように灯心−放出器超構造体１を形成させた。溜め室蓋２にアパーチャーを備えさせ、灯心−放出器超構造体１を設置した。約３０ｍｌの体積を有する溜め室３、図２参照、を付香組成物１０ｇおよびジプロピレングリコールｎ−ブチルエーテル１０ｇ（Dowanol（登録商標）DPnB, 出所：Dow Chemical Company）で充填した。充填された溜め、溜め室蓋および灯心−放出器超構造体を組み立てた後、図３に示したような本発明による装置を得た。この装置の全質量を記録した。この装置を温度−湿度が制御された試験室（２０℃〜２２℃および相対湿度４５％〜５５％）中に置き、４５日間に亘って規則的な時間間隔で質量を記録した。試験データは、第Ｉ表中に記載されている。
【００７４】
【表１】
2005532135.tif 000003
【００７５】
第Ｉ表は、本発明による装置が極めて均一な速度で使用の少なくとも３２日間に亘って任意の外部の出力、例えば電気的加熱装置を必要とすることなく高い体積の蒸気（４５日間で全揮発物質の７５％まで）を放出することを示す。
【００７６】
この例で使用された付香組成物の組成は、次の通りである。
成分                                                              質量部
酢酸ノニルと２−メチルオクチルアセテートとの混合物                ２．２１
酢酸ベンジル                                                      ２．９４
酢酸シトロネリル                                                  １．４７
フェニルエチルアセテート                                          ２．９４
（Ｚ）−３−ヘキセン−１−オールアセテート                        １．１０
酢酸フェニル                                                      ０．３７
エチルアセトアセテート                                          ２７．２１
９−ウンデセナール                                                ０．１５
アネトール                                                        ０．３７
エチル−２−メチルバレレート                                      ０．２２
４−ウンデカノリド                                                ２．２１
Damascenia 185 SA１）                                              ０．３７
ジヒドロミルセノール                                              ２．９４
ジプロピレングリコールモノメチルエーテル                        ４１．９３
Dynascone（登録商標）２）                                          ０．０７
Habanolide（登録商標）３）                                          ０．５９
Hedione（登録商標）HC４）                                          １．７６
１０％＊＊インドール                                              ０．２９
Iralia（登録商標）total５）                                            １．１０
イソオイゲノール                                                  ０．２９
６−メトキシ−２，６−ジメチルヘプタナール                        ０．０７
Oxane６）                                                          ０．２９
３，６−ジヒドロ−４，６−ジメチル−２−フェニル−２Ｈ−ピラン    ０．０７
１％＊ノナジエナール                                              ０．２２
（Ｚ）−３−ヘキセン−１−オール                                  １．１０
Polysantol（登録商標）７）                                            ０．４４
ピポールサリチレート                                              ２．２１
オレンジテルペン                                                  １．４７
Verdox（登録商標）８）                                              ２．５０
Triplat９）   １．１０
総和              １００．００
＊    ジプロピレングリコール中
＊＊  イソパラフィン中
１）配合された香料基剤；出所：Firmenich SA, Geneva, Switzerland
２）１−（５，５−ジメチル−シクロヘキセン−１−イル）−４−ペンテン−１−オン；出所：Firmenich SA, Geneva, Switzerland
３）オキサシクロヘキサンデセン；出所：Firmenich SA, Geneva, Switzerland
４）メチル３−オキソ−２−ペンチル−シクロペンタン酢酸；出所：Firmenich SA, Geneva, Switzerland
５）メチルイオノン；出所：Firmenich SA, Geneva, Switzerland
６）シス−２−メチル−４−プロピル−１，３−オキサチアン；出所：Firmenich SA, Geneva, Switzerland
７）３，３−ジメチル−５−（２，２，３−トリメチル−３−シクロペンテン−１−イル）−４−ペンテン−２−オール；出所：Firmenich SA, Geneva, Switzerland
８）２−第三ブチル−１−シクロヘキシルアセテート；出所：IFF, USA
９）２，４−ジメチル−３−シクロヘキセン−１−カルボキシアルデヒド；出所：IFF, USA。
【００７７】
例２
本発明によるエアフレッシュナー計量分配装置を、図４〜６に示されているように構成させた。灯心−放出器超構造体７を、図５の記載と同様に、Whatman No.4定性濾紙（Whatman Plc）から形成された単一のシート６、図４参照、から形成した。溜め室蓋８にアパーチャーを備えさせ、灯心−放出器超構造体７を設置した。約３０ｍｌの体積を有する溜め室３、図５参照、を例１で使用された付香組成物１０ｇおよびジプロピレングリコールｎ−ブチルエーテル１０ｇ（Dowanol（登録商標）DPnB, 出所：Dow Chemical Company）で充填した。充填された溜め、溜め室蓋および灯心−放出器超構造体を組み立てた後、図６に示したような本発明による装置を得た。異なる表面積（ＳＡ）を有する放出部を備えた４個の装置を、上記と同じプロトコルを用いて形成させた。それぞれの装置の全質量を記録した。この装置を温度−湿度が制御された試験室（２０℃〜２２℃および相対湿度４５％〜５５％）中に置き、４７日間に亘って規則的な時間間隔で質量を記録した。試験データは、第ＩＩ表中に記載されている。
【００７８】
【表２】
2005532135.tif 000004
【００７９】
本発明による装置は、例１と同様にではあるが、異なる形状または表面積を有する放出部を備えており、任意の外部の出力、例えば電気的加熱装置またはファンを必要とすることなく高い体積の蒸気を極めて均一な速度で放出する。
【図１】
2005532135.tif 000005
【図２】
2005532135.tif 000006
【図３】
2005532135.tif 000007
【図４】
2005532135.tif 000008
【図５】
2005532135.tif 000009
【図６】
2005532135.tif 000010
【国際調査報告】
2005532135.tif 000011
2005532135.tif 000012
2005532135.tif 000013